(57)【要約】      （修正有）【課題】複数のリモコン装置を隣接しても時刻表示の不一致による問題が発生しないリモコン装置を提供する。【解決手段】制御対象機器をそれぞれ有線或いは赤外線等の無線で駆動制御する複数のリモコン装置１、５を備え、それぞれ操作部３、７や表示部４、８が備えられ、更に表示部４、８には少なくとも時刻を常時表示する時刻表示１３、１４を備える。前記リモコン装置１、５には、複数のリモコン装置が隣接設置された場合、１台のリモコン装置５の時刻表示１４を残し、他の隣接するリモコン装置１の時刻表示１３を消す隣接使用モードを備える。【選択図】図１
2017059929.tif 000002
【特許請求の範囲】
【請求項１】
制御対象機器をそれぞれ有線或いは赤外線等の無線で駆動制御する複数のリモコン装置を備え、該リモコン装置にはそれぞれ操作部や表示部が備えられ、更に表示部には少なくとも時刻を常時表示する時刻表示を備えたものに於いて、前記リモコン装置には、複数のリモコン装置が隣接設置された場合、１台のリモコン装置の時刻表示を残し、他の隣接するリモコン装置の時刻表示を消す隣接使用モードを備えた事を特徴とするリモコン装置。
【請求項２】
前記時刻表示を消したリモコン装置は、時刻表示消灯からの日数をカウントし、定期的に「隣のリモコンと時刻を合わせてください」と言う報知を行う事を特徴とする請求項１記載のリモコン装置。
【請求項３】
前記時刻表示を消したリモコン装置は、停電復帰時には「時刻を合わせてください」と言う報知を行う事を特徴とする請求項１記載のリモコン装置。
【発明の詳細な説明】
【技術分野】
【０００１】
この発明は、制御対象機器を遠隔操作するリモコン装置に関するものである。
【背景技術】
【０００２】
従来よりこの種のものに於いては、エアコンのリモコン装置や給湯機のリモコン装置や全館暖房の暖房システムのリモコン装置を一室の壁に併設して、管理や操作を効率良く行うようにしたものであった。（例えば、特許文献１参照。）
【先行技術文献】
【特許文献】
【０００３】
【特許文献１】特開２００６−１４０６４号公報
【発明の概要】
【発明が解決しようとする課題】
【０００４】
ところでこの従来のものでは、併設された各リモコン装置の表示部に表示されている時刻表示が一致していない場合、使用者はどのリモコン装置の時刻を信用すれば良いのか迷うものであり、信頼感が揺らぐものであった。
【課題を解決するための手段】
【０００５】
この発明はこの点に着目し上記課題を解決する為、特にその構成を、制御対象機器をそれぞれ有線或いは赤外線等の無線で駆動制御する複数のリモコン装置を備え、該リモコン装置にはそれぞれ操作部や表示部が備えられ、更に表示部には少なくとも時刻を常時表示する時刻表示を備えたものに於いて、前記リモコン装置には、複数のリモコン装置が隣接設置された場合、１台のリモコン装置の時刻表示を残し、他の隣接するリモコン装置の時刻表示を消す隣接使用モードを備えたものである。
【０００６】
又請求項２では、前記時刻表示を消したリモコン装置は、時刻表示消灯からの日数をカウントし、定期的に「隣のリモコンと時刻を合わせてください」と言う報知を行うようにしたものである。
【０００７】
又請求項３では、前記時刻表示を消したリモコン装置は、停電復帰時には「時刻を合わせてください」と言う報知を行うようにしたものである。
【発明の効果】
【０００８】
以上のようにこの発明によれば、リモコン装置には、複数のリモコン装置が隣接設置された場合、１台のリモコン装置の時刻表示を残し、他の隣接するリモコン装置の時刻表示を消す隣接使用モードを備えたことで、併設された複数のリモコン装置の内で時刻表示を行うのは１台のみとなり、複数表示で一致しないと言うことがなくなり、使用者は混乱することなく安心して使用出来るものである。
【０００９】
又請求項２によれば、時刻表示が消灯されていても、定期的に時刻合わせが行われるので、タイマー機能が誤った時刻で作動する心配がなく、安心して使用出来るものであり、更に時計表示が必要となった時でも、常に隣のリモコンと一致した時刻が表示出来、使用勝手も良いものである。
【００１０】
又請求項３によれば、時刻表示が消灯されていても、停電の復帰後には時刻合わせが行われるので、停電で時刻が狂った状態を知らずにタイマー機能を使用したり、時刻表示を再開してしまう不具合を防止することが出来、常に安心して使用出来るものである。
【図面の簡単な説明】
【００１１】
【図１】この発明の一実施例を付した隣接設置された２台のリモコン装置の正面図。
【図２】同リモコン装置の電気回路のブロック図。
【図３】同隣接使用モードを説明するフローチャート。
【発明を実施するための形態】
【００１２】
次にこの発明に係る隣接設置のリモコン装置を図面に示す一実施例で説明する。
１は給湯機用のリモコン装置で、お湯を供給する制御対象機器である給湯機２の運転を指示する各種スイッチを備えた操作部３と、中央に位置し給湯機２の運転状態や設定状態を表示する表示部４とが備えられている。
【００１３】
５は温水暖房用のリモコン装置で、温水を循環させることで室内を暖房する制御対象機器である温水暖房装置６の運転を指示する各種スイッチを備えた操作部７と、ほぼ中央に位置し温水暖房装置６の運転状態や設定状態を表示する表示部８とが備えられている。
【００１４】
９、１０は各操作部３、７の中に備えられた隣接使用モードスイッチで、押圧することでそれぞれのリモコン装置１、５の制御部を構成するマイコン１１、１２に、予め設定記憶させている表示部４、８の時刻表示１３、１４を消灯させる隣接使用モードの運転を行わせるものであり、ここでは、温水暖房用のリモコン装置５側には２４時間のＯＮ／ＯＦＦタンマー機能が付加されている関係で、現在時刻を知る必要があることから、温水暖房用のリモコン装置５側の時刻表示１４はそのまま表示させ、給湯用のリモコン装置１側の時刻表示１３を消灯せさるようにしたものである。
【００１５】
次に前記した給湯用のリモコン装置１の隣接使用モードスイッチ９を押圧しての表示部４の時刻表示１３を消灯させる隣接使用モードを、図３に示すフローチャートに従って説明すると、隣接使用モードスイッチ９の押圧でステップＳ１５の隣接使用モードのスタートとなり、ステップＳ１６に進み隣接使用モードスイッチ９の２回押しかを判断し、ＹＥＳではステップＳ１７に進んで通常モードすなわち時刻表示を行うものであります。
【００１６】
又ステップＳ１６でＮＯではステップＳ１８に進んで、長時間の停電により時刻設定がリセットされたかを判断し、ＮＯではステップＳ１９でマイコン１１によって、隣接使用モードの開始から計時開始したタイマーが「ｎ日間経過」、ここでは９０日の約３ヶ月経過をカウントし、次のステップＳ２０で時刻設定モードに入り、表示部１３に報知音と共に「隣のリモコンと時刻を合わせてください」と表示及びアナウンスし、そしてステップＳ２１で時刻設定を行うと共に、「ｎ日間経過」のタイマーをリセットさせてカウント開始させ、ステップＳ２２で時刻表示を行わない隣接使用モードを継続させるものである。  尚、ステップＳ２１の時刻設定が行われるまで、ステップＳ２０の「隣のリモコンと時刻を合わせてください」の表示は継続され、時刻合わせは必ず行われるようにしたものである。
【００１７】
このように、複数のリモコン装置１、５が隣接設置された場合、１台のリモコン装置５の時刻表示１４を残し、他の隣接するリモコン装置１の時刻表示１３を消す隣接使用モードを備えたことで、併設された複数のリモコン装置１、５の内で時刻表示１４を行うのは１台のみとなり、複数表示で一致しないと言うことがなくなり、使用者は混乱することなく安心して使用出来るものである。
【００１８】
又時刻表示１３が消灯されていても、定期的に時刻合わせが行われるので、タイマー機能が誤った時刻で作動する心配がなく、安心して使用出来るものであり、更に時計表示１３が必要となった時でも、常に隣のリモコン装置５と一致した時刻が表示出来、使用勝手も良いものである。
【００１９】
更にステップＳ１８で長時間の停電により時刻設定がリセットされたかを判断し、ＹＥＳではステップＳ２３に進み停電復帰時、ＥＥＰＲＯＭ・不揮発性メモリ等から隣接使用モードである事を読み取り、ステップＳ２４で時刻表示１３を「−−」表示或いは、時刻設定モードに入り報知音と共に、「時刻を合わせてください」と表示及びアナウンスし、ステップＳ２５で時刻設定を完了して、ステップＳ２２に進んで時刻表示を行わない隣接使用モードを継続させるものである。
尚、ステップＳ２５の時刻設定が行われるまで、ステップＳ２４の「時刻を合わせてください」の表示は継続され、時刻合わせは必ず行われるようにしたものである。
【００２０】
このように、時刻表示１３が消灯されていても、停電の復帰後には時刻合わせが行われるので、停電で時刻が狂った状態を知らずにタイマー機能を使用したり、時刻表示１３を再開してしまう不具合を防止することが出来、常に安心して使用出来るものである。
【符号の説明】
【００２１】
１、５  リモコン装置
２、６  制御対象機器（給湯機、温水暖房装置）
３、７  操作部
４、８  表示部
１１、１２  マイコン
１３、１４  時刻表示
【図１】
2017059929.tif 000003
【図２】
2017059929.tif 000004
【図３】
2017059929.tif 000005